【事件の表示】
　特願２００１−１９１０１１「画像形成装置、画像形成方法、コンピュータプログラム及び記憶媒体」拒絶査定不服審判事件〔平成１５年　１月１０日出願公開、特開２００３−　　８８７５〕について、次のとおり審決する。
【結　論】
　本件審判の請求は，成り立たない。
【理　由】
第１　手続きの経緯
　出願日　　　　　　　：平成１３年　６月２５日
　拒絶査定日　　　　　：平成１８年１２月２５日
　審判請求日　　　　　：平成１９年　２月　６日
　手続補正書　　　　　：平成１９年　２月　６日
　拒絶理由通知（最後）：平成２０年　９月　２日
　手続補正書　　　　　：平成２０年１１月１０日
　
第２　手続補正の却下
　１　補正却下の決定の結論
　平成２０年１１月１０日付けの手続補正を却下する。
　
　２　理由
　（１）　補正後の本願発明
　本件補正により，特許請求の範囲の請求項１ないし２０は，次のとおり補正された。
「　【請求項１】　用紙束の製本化を行う手段を具備し，且つ，製本化された用紙束を断裁装置に供給可能な，後処理装置により製本化される用紙束の各用紙に画像形成が可能な画像形成装置であって，
　製本用のページ順となるように画像のレイアウトを行う製本モードの設定がされたか否かの確認を行う確認手段と，
　前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を実行させる制御手段と，を有し，
　前記制御手段は，前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定し，当該非画像形成領域に基づいて決定される画像形成領域より，前記画像形成される画像が大きい場合に，当該画像形成される画像を縮小するか，前記画像形成される画像の一部分を画像形成させるかを，ユーザから受付けた設定に基づいて制御することを特徴とする画像形成装置。
　　【請求項２】　前記制御手段は，前記製本モードが設定され，且つ，前記断裁装置による断裁に要する断裁モードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記断裁装置による断裁処理が施される被処理部分を非画像形成領域として設定することを特徴とする請求項１記載の画像形成装置。
　　【請求項３】　前記制御手段は，前記製本モードの設定が設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，画像のサイズと前記用紙のサイズとに基づいて非画像形成領域を設定することを特徴とする請求項１又は２記載の画像形成装置。
　　【請求項４】　前記製本モードが設定され，且つ，前記後処理装置により製本化された用紙束に中綴じ処理を実行する中綴じモードが設定された場合に，前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，中綴じ処理の被処理部分を非画像形成領域として設定することを特徴とする請求項１乃至３のいずれか１項に記載の画像形成装置。
　　【請求項５】　前記製本モードが設定され，且つ，前記後処理手段により製本化された用紙束に中綴じ処理を実行する中綴じモードが設定された場合に，前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙中央部の綴じ代量を設定することを特徴とする請求項１乃至４のいずれか１項に記載の画像形成装置。
　　【請求項６】　前記製本モードが設定され，且つ，前記後処理手段により製本化された用紙束に中綴じ処理を実行する中綴じモードが設定された場合に，前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙の端部の余白量を設定することを特徴とする請求項１乃至５のいずれか１項に記載の画像形成装置。
　　【請求項７】　前記制御手段は，前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像形成の対象となる用紙の種類に基づいて非画像形成領域を前記用紙束の用紙毎に設定することを特徴とする請求項１乃至６のいずれか１項に記載の画像形成装置。
　　【請求項８】　前記製本モードが設定された場合に，前記制御手段は，画像形成装置の具備する記憶手段に画像形成すべき原稿の製本化される全画像を記憶させた後に，製本用のページ順となるように画像のレイアウトを実行させることを特徴とする請求項１乃至７のいずれか１項に記載の画像形成装置。
　　【請求項９】　前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像の消去及び画像の移動及び画像の縮小のいずれかの画像処理が施された画像を用紙に形成させることを特徴とする請求項１乃至８のいずれか１項に記載の画像形成装置。
　　【請求項１０】　用紙束の製本化を行う手段を具備し，且つ，製本化された用紙束を断裁装置に供給可能な，後処理装置により製本化される用紙束の各用紙に画像形成が可能な画像形成装置のための画像形成方法であって，
　製本用のページ順となるように画像のレイアウトを行う製本モードの設定がされたか否かの確認を行う確認し，
　前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定し，当該非画像形成領域に基づいて決定される画像形成領域より，前記画像形成される画像が大きい場合に，当該画像形成される画像を縮小するか，前記画像形成される画像の一部分を画像形成させるかを，ユーザから受付けた設定に基づいて制御することを特徴とする画像形成方法。
　　【請求項１１】　前記製本モードが設定され，且つ，前記断裁装置による断裁に要する断裁モードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記断裁装置による断裁処理が施される被処理部分を非画像形成領域として設定することを特徴とする請求項１０記載の画像形成方法。
　　【請求項１２】　前記製本モードの設定が設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，画像のサイズと前記用紙のサイズとに基づいて非画像形成領域を設定することを特徴とする請求項１０又は１１記載の画像形成方法。
　　【請求項１３】　前記製本モードが設定され，且つ，前記後処理装置により製本化された用紙束に中綴じ処理を実行する中綴じモードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，中綴じ処理の被処理部分を非画像形成領域として設定することを特徴とする請求項１０乃至１２のいずれか１項に記載の画像形成方法。
　　【請求項１４】　前記製本モードが設定され，且つ，前記後処理手段により製本化された用紙束に中綴じ処理を実行する中綴じモードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙中央部の綴じ代量を設定することを特徴とする請求項１０乃至１３のいずれか１項に記載の画像形成方法。
　　【請求項１５】　前記製本モードが設定され，且つ，前記後処理手段により製本化された用紙束に中綴じ処理を実行する中綴じモードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙の端部の余白量を設定することを特徴とする請求項１０乃至１４のいずれか１項に記載の画像形成方法。
　　【請求項１６】　前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像形成の対象となる用紙の種類に基づいて非画像形成領域を前記用紙束の用紙毎に設定することを特徴とする請求項１０乃至１５のいずれか１項に記載の画像形成方法。
　　【請求項１７】　前記製本モードが設定された場合に，画像形成すべき原稿の製本化される全画像を記憶させた後に，製本用のページ順となるように画像のレイアウトを実行させることを特徴とする請求項１０乃至１６のいずれか１項に記載の画像形成方法。
　　【請求項１８】　製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像の消去及び画像の移動及び画像の縮小のいずれかの画像処理が施された画像を用紙に形成させることを特徴とする請求項１０乃至１７のいずれか１項に記載の画像形成方法。
　　【請求項１９】　請求項１０乃至１８のいずれか１項に記載の画像形成方法をコンピュータにより実行させるためのコンピュータプログラム。
　　【請求項２０】　請求項１０乃至１８のいずれか１項に記載の画像形成方法をコンピュータにより実行させるためのコンピュータプログラムを記憶したことを特徴とするコンピュータ読取り可能な記憶媒体。」
　
　（２）　本件補正前の特許請求の範囲
　本件補正前の，平成１９年２月６日付けの手続補正による特許請求の範囲の記載は次のとおりである。
「　【請求項１】　用紙束の製本化を行う手段を具備し，且つ，製本化された用紙束を断裁装置に供給可能な，後処理装置により製本化される用紙束の各用紙に画像形成が可能な画像形成装置であって，
　製本用のページ順となるように画像のレイアウトを行う製本モードの設定がされたか否かの確認を行う確認手段と，
　前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を実行させる制御手段と，を有し，
　前記制御手段は，前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定することを特徴とする画像形成装置。
　　【請求項２】　前記制御手段は，前記製本モードが設定され，且つ，前記断裁装置による断裁に要する断裁モードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記断裁装置による断裁処理が施される被処理部分を非画像形成領域として設定することを特徴とする請求項１記載の画像形成装置。
　　【請求項３】　前記制御手段は，前記製本モードの設定が設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，画像のサイズと前記用紙のサイズとに基づいて非画像形成領域を設定することを特徴とする請求項1又は２記載の画像形成装置。
　　【請求項４】　前記製本モードが設定され，且つ，前記後処理装置により製本化された用紙束に中綴じ処理を実行する中綴じモードが設定された場合に，前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，中綴じ処理の被処理部分を非画像形成領域として設定することを特徴とする請求項１乃至３のいずれか１項に記載の画像形成装置。
　　【請求項５】　前記製本モードが設定され，且つ，前記後処理手段により製本化された用紙束に中綴じ処理を実行する中綴じモードが設定された場合に，前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙中央部の綴じ代量を設定することを特徴とする請求項１乃至４のいずれか１項に記載の画像形成装置。
　　【請求項６】　前記製本モードが設定され，且つ，前記後処理手段により製本化された用紙束に中綴じ処理を実行する中綴じモードが設定された場合に，前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙の端部の余白量を設定することを特徴とする請求項１乃至５のいずれか１項に記載の画像形成装置。
　　【請求項７】　前記制御手段は，前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像形成の対象となる用紙の種類に基づいて非画像形成領域を前記用紙束の用紙毎に設定することを特徴とする請求項１乃至６のいずれか１項に記載の画像形成装置。
　　【請求項８】　前記製本モードが設定された場合に，前記制御手段は，画像形成装置の具備する記憶手段に画像形成すべき原稿の製本化される全画像を記憶させた後に，製本用のページ順となるように画像のレイアウトを実行させることを特徴とする請求項１乃至７のいずれか１項に記載の画像形成装置。
　　【請求項９】　前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像の消去及び画像の移動及び画像の縮小のいずれかの画像処理が施された画像を用紙に形成させることを特徴とする請求項１乃至８のいずれか１項に記載の画像形成装置。
　　【請求項１０】　用紙束の製本化を行う手段を具備し，且つ，製本化された用紙束を断裁装置に供給可能な，後処理装置により製本化される用紙束の各用紙に画像形成が可能な画像形成装置のための画像形成方法であって，
　製本用のページ順となるように画像のレイアウトを行う製本モードの設定がされたか否かの確認を行う確認し，
　前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定することを特徴とする画像形成方法。
　　【請求項１１】　前記製本モードが設定され，且つ，前記断裁装置による断裁に要する断裁モードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記断裁装置による断裁処理が施される被処理部分を非画像形成領域として設定することを特徴とする請求項１０記載の画像形成方法。
　　【請求項１２】　前記製本モードの設定が設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，画像のサイズと前記用紙のサイズとに基づいて非画像形成領域を設定することを特徴とする請求項１０又は１１記載の画像形成方法。
　　【請求項１３】　前記製本モードが設定され，且つ，前記後処理装置により製本化された用紙束に中綴じ処理を実行する中綴じモードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，中綴じ処理の被処理部分を非画像形成領域として設定することを特徴とする請求項１０乃至１２のいずれか１項に記載の画像形成方法。
　　【請求項１４】　前記製本モードが設定され，且つ，前記後処理手段により製本化された用紙束に中綴じ処理を実行する中綴じモードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙中央部の綴じ代量を設定することを特徴とする請求項１０乃至１３のいずれか１項に記載の画像形成方法。
　　【請求項１５】　前記製本モードが設定され，且つ，前記後処理手段により製本化された用紙束に中綴じ処理を実行する中綴じモードが設定された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，前記用紙束の用紙毎に，前記中綴じ処理が施される用紙の端部の余白量を設定することを特徴とする請求項１０乃至１４のいずれか１項に記載の画像形成方法。
　　【請求項１６】　前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像形成の対象となる用紙の種類に基づいて非画像形成領域を前記用紙束の用紙毎に設定することを特徴とする請求項１０乃至１５のいずれか１項に記載の画像形成方法。
　　【請求項１７】　前記製本モードが設定された場合に，画像形成すべき原稿の製本化される全画像を記憶させた後に，製本用のページ順となるように画像のレイアウトを実行させることを特徴とする請求項１０乃至１６のいずれか１項に記載の画像形成方法。
　　【請求項１８】　製本化された用紙束の内側の用紙に相当する用紙に画像形成される画像が該用紙束の外側の用紙に相当する用紙に画像形成される画像の画像形成位置よりも見開き中央側の位置となる画像形成を行うために，画像の消去及び画像の移動及び画像の縮小のいずれかの画像処理が施された画像を用紙に形成させることを特徴とする請求項１０乃至１７のいずれか１項に記載の画像形成方法。
　　【請求項１９】　請求項１０乃至１８のいずれか１項に記載の画像形成方法をコンピュータにより実行させるためのコンピュータプログラム。
　　【請求項２０】　請求項１０乃至１８のいずれか１項に記載の画像形成方法をコンピュータにより実行させるためのコンピュータプログラムを記憶したことを特徴とするコンピュータ読取り可能な記憶媒体。」
　
　（３）補正の目的の適否についての判断
　前記「（１）」及び「（２）」から明らかなように，本件補正は，具体的には，特許請求の範囲の請求項１及び１０についてのみ補正がなされたものである。以下，順番に検討する。
　ａ　請求項１に関する本件補正
　請求項１に関する本件補正は，「制御手段」が「確認手段により製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定」することに加えて，「当該非画像形成領域に基づいて決定される画像形成領域より，画像形成される画像が大きい場合に，当該画像形成される画像を縮小するか，画像形成される画像の一部分を画像形成させるかを，ユーザから受付けた設定に基づいて制御する」こととしたものである。
　以下，当該補正が，平成１８年法律第５５号改正附則第３条第１項によりなお従前の例によるとされる同法による改正前の特許法（以下，「平成１８年改正前特許法」という。）第１７条の２第４項各号に規定された事項のいずれを目的としたものか，検討する。
　
（ａ）請求項の削除を目的としたものであるか否かについて
　請求項２ないし８には，「画像形成される画像を縮小する」ことや，「画像形成される画像の一部分を画像形成させる」こと，これらを「ユーザから受付けた設定に基づいて制御する」ことに関連する記載はない。
　請求項９には「画像の消去及び画像の移動及び画像の縮小のいずれかの画像処理が施された画像を用紙に形成させること」が記載されていたものの，本件補正後の請求項１の「当該非画像形成領域に基づいて決定される画像形成領域より，画像形成される画像が大きい場合に，当該画像形成される画像を縮小するか，画像形成される画像の一部分を画像形成させるかを，ユーザから受付けた設定に基づいて制御すること」，特に，画像形成される画像の一部分を画像形成させる点，画像の縮小か，画像の一部分を画像形成するかをユーザから受付けた設定に基づいて制御する点については何ら記載されていない。よって，本件補正が，本件補正前の請求項１を削除し，請求項９を本件補正後の請求項１としたものとは認められない。
　請求項１０ないし１８は，装置の発明である請求項１ないし９に対応する方法の発明であって，同様に，請求項１１ないし１７には関連記載はなく，請求項１８には，請求項９と同様なことが記載されているに止まるものであるから，本件補正前の請求項１を削除し，請求項１８を本件補正後の請求項１としたものとは認められない（もちろん，カテゴリーも相違する。）。
　請求項１９及び２０は，方法の発明である請求項１０のカテゴリーを，それぞれプログラム，記憶媒体としたものにすぎず，関連記載はない。
　したがって，本件補正は，請求項１を削除し，請求項２ないし２０のいずれかの請求項を本件補正後の請求項１としたものではないから，平成１８年改正前特許法第１７条の２第４項第１号（請求項の削除）に規定される事項を目的としたものとはいえない。
　
（ｂ）特許請求の範囲の減縮を目的としたものであるか否かについて
　本件補正前における「制御手段」は，前記「第２　２　（２）」の請求項１の記載から明らかなように，「確認手段により製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を実行させる」もの，具体的には「非画像形成領域を用紙束の用紙毎に設定する」ものである。つまり，本件補正前の「制御手段」の機能は，画像形成位置を制御することである。
　これに対し，本件補正事項である「当該非画像形成領域に基づいて決定される画像形成領域より，画像形成される画像が大きい場合に，当該画像形成される画像を縮小するか，画像形成される画像の一部分を画像形成させるかを，ユーザから受付けた設定に基づいて制御する」ことは，画像が画像形成領域より大きい場合に，画像の縮小や，画像の一部分を画像形成すること，そしてこれをユーザが設定することであって，これらは本件補正前の画像形成位置を制御するという機能に関するものではない。しかも，平成２０年１１月１０日付け意見書において，当該機能を付加することにより，「特に，ユーザは，当該画像形成される画像を縮小するか，当該画像の一部分を画像形成するかを設定しておくことによって，用紙に画像形成される画像が画像形成領域におさまらない場合でも，ユーザが所望する形式で画像が形成された製本物を手に入れることができます。即ち，例えば，ユーザによっては，縮小をしてでも画像形成領域におさめたい場合があったり，画像の一部が欠けた状態でも画像形成領域におさめたい場合があったりしますが，このいずれとするかをユーザが設定できるようにしたものであります。」という新たな作用効果を主張している。よって，本件補正は，上記本件補正前の請求項１に記載された「制御手段」の機能を限定したものではなく，新たな機能を付加したものといえる。
　したがって，本件補正は，補正前の請求項１に記載した発明を特定するために必要な事項を限定するものではないから，平成１８年改正前特許法第１７条の２第４項第２号（特許請求の範囲の減縮）に規定される事項を目的としたものとはいえない。
　
（ｃ）誤記の訂正，明りょうでない記載の釈明を目的としたものであるか否かについて
　本件補正が，平成１８年改正前特許法１７条の２第４項第３号（誤記の訂正），第４号（明りょうでない記載の釈明）に規定される事項を目的とするものでないことは明らかである。
　
（ｄ）平成２０年１１月１０日付け意見書の主張について
　審判請求人は「この補正は，請求項９に，制御手段の動作として記載されている「画像の消去及び画像の移動及び画像の縮小のいずれかの画像処理が施された画像を用紙に形成させる」構成に基づき，制御手段が，単に画像の縮小を行うだけでなく，画像を縮小するか，画像形成される画像の一部分を画像形成させるかをユーザの設定に基づいて制御する構成に限定しました。この補正は，制御手段によって制御される動作を限定的に減縮することを目的としたものであります。」と主張しているが，「当該非画像形成領域に基づいて決定される画像形成領域より，画像形成される画像が大きい場合に，当該画像形成される画像を縮小するか，画像形成される画像の一部分を画像形成させるかを，ユーザから受付けた設定に基づいて制御する」ことは，前記のように，本件補正前の請求項１の「制御手段」の画像形成位置を制御する機能を限定したものではないから，特許請求の範囲の減縮を目的としたものとはいえない。
　
（ｅ）請求項１に関する本件補正のむすび
　したがって，請求項１に関する本件補正は，平成１８年改正前特許法１７条の２第４項各号に規定される事項のいずれかを目的とするものではない。
　
　ｂ　請求項１０に関する本件補正
　請求項１０に関する本件補正は，「製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定」することに加えて，「当該非画像形成領域に基づいて決定される画像形成領域より，画像形成される画像が大きい場合に，当該画像形成される画像を縮小するか，前記画像形成される画像の一部分を画像形成させるかを，ユーザから受付けた設定に基づいて制御する」こととしたものである。
　本件補正後の請求項１０は，装置の発明である本件補正後の請求項１に対応する方法の発明であって，その補正内容は，請求項１に関する補正内容と同様である。したがって，請求項１０に関する本件補正も，前記「ａ」に検討したように，平成１８年改正前特許法１７条の２第４項各号に規定される事項のいずれかを目的とするものではない。
　
　（４）本件補正についてのむすび
　以上のとおり，本件補正は，平成１８年改正前特許法第１７条の２第４項の規定に違反するので，同法第１５９条第１項において読み替えて準用する同法第５３条第１項の規定により却下すべきものである。
　
第３　本願発明について
　１　本願発明
　平成２０年１１月１０日付けの手続補正は上記のとおり却下されたので，本願の請求項１ないし２０に係る発明は，平成１９年２月６日付けで補正された明細書及び図面の記載からみて，その特許請求の範囲の請求項１ないし２０に記載された，上記「第２　２　（２）」のとおりのものであって，本願の請求項１に係る発明（以下，「本願発明」という。）は，以下のとおりのものである。
　
「　【請求項１】　用紙束の製本化を行う手段を具備し，且つ，製本化された用紙束を断裁装置に供給可能な，後処理装置により製本化される用紙束の各用紙に画像形成が可能な画像形成装置であって，
　製本用のページ順となるように画像のレイアウトを行う製本モードの設定がされたか否かの確認を行う確認手段と，
　前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を実行させる制御手段と，を有し，
　前記制御手段は，前記確認手段により前記製本モードの設定が確認された場合に，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定することを特徴とする画像形成装置。」
　
　２　引用例
　一方，当審において平成２０年９月２日付けで通知した拒絶理由で引用された特開平８−３２４０６４号公報（以下，「引用例」という。）には，図面とともに以下の事項が記載されている。（記載箇所は段落番号等で表示）
　
　ア　「【請求項１】　複数のシート材を重ね，その略中央を綴じると共に略中央で折り，冊子を作成するシート材処理装置を有するプリンタ装置において，その冊子の内側になるシート材ほど，そのシート材に印字する画像の印字位置を見開きの中央側にする制御手段を設けたことを特徴とするプリンタ装置。」
　
　イ　「【０００６】
【実施例】次に，本発明の実施例を説明する。図１，図２は，本発明の全体の構成を示す図であり，この図を用いて本実施例を説明していく。図１に示すように本発明の構成は，大きくは，レーザビームプリンタ（以下ＬＢＰと言う）や複写機等の画像形成装置１（以下プリンタと総称する）と，冊子を作成するシート材処理装置２からなる。」
　
　ウ　「【０００９】シート材処理装置２に搬入されたシート材Ｓは，その大きさ（サイズ）に応じたストッパ２０１に突き当たって停止し積載される。冊子を構成する全てのシート材Ｓが積載されるとシート材Ｓはその略中央がステイプルされ，押し出し部材２０２によって押し出され，圧接ローラ２１０により二つ折りにされる。この後シート材Ｓは，搬送ローラ２０３で搬送され，所定の位置に来るとカッタ２２０により不揃いの部分が切断され，排出トレイ２３０に積載される。」
　
　エ　「【００１３】本発明は，この余白Ｚが頁毎に変わり見苦しくなるのを防止する手段を提供するものであり，以下に具体的な手段を述べる。先ず，頁毎の補正量を述べる。先に述べたように，二つ折りにした場あいのズレ量Ｘは，式（１）で表される。従って，頁毎には，
ΔＸ＝πｔ／２  ──（２）    Δ
ずらせば良く，概略ΔＸ＝０．１６ｍｍになる。即ち，冊子の内側頁ほど，頁毎に先端の余白Ｚ（印字領域）をΔＸづつ内側にずらしていけば良い。このための第一の手段としては，レーザ光の走査方向と直交する方向の書き出しを変えれば良く，図１で示したレーザ光Ｌの感光体ドラム１１０上の書き込み位置を頁毎に，ΔＸづつ遅らせていけば良い。
【００１４】即ち，図２に示すように，レーザ制御手段３１０に遅延回路３１３を設け，頁毎にその書き出しタイミングをΔＸづつ遅らせていけば良い。この時，図４で示す先端の余白ＺはΔＸづつ大きくなっていく。また，第二の手段としては，シート材搬送タイミングを変えていくものであり，アジャストローラ１０３の制御手段３３０に遅延回路３３３を設け，アジャストローラ１０３の再始動タイミングを規定量に対し，頁毎にΔＸづつ早めていけば良い。この時，図４で示す先端の余白ＺはΔＸづつ大きくなっていく。
【００１５】この時単純には，先端の余白Ｚを大きくするにつれ，後端の余白Ｚはずれて小さくなってしまう。そこで，図４で示す印字領域Ｙを一定比率で搬送方向に圧縮すれば余白Ｚの量も見開き側のＺと同じにすることができ，見栄えは更に良くなる。その圧縮比率Υは，図４のＡ３サイズの例では，頁毎におよそΥ＝ΔＸ／１９０であり，約０．０８％である。」
　
　前掲アないしエの記載及び図面によると，引用例には，
　
「複数のシート材を重ね，その略中央を綴じると共に略中央で折り，冊子を作成するシート材処理装置を有する画像形成装置において，
　その冊子の内側になるシート材ほど，そのシート材に印字する画像の印字位置を見開きの中央側にする制御手段を設け，
　前記冊子の内側頁ほど，頁毎に先端の余白Ｚ（印字領域）をΔＸづつ内側にずらしていき，
　前記シート材処理装置では，折り綴じされた後，所定の位置に来るとカッタにより不揃いの部分が切断され，排出トレイに積載される
　画像形成装置。」
　
の発明（以下，「引用発明」という。）が記載されていると認められる。
　
　３　対比
　本願発明と引用発明とを対比する。
　引用発明の「シート材」，「シート材を重ね」たものは，本願発明の「用紙」，「用紙束」に相当するから，引用発明の「複数のシート材を重ね，その略中央を綴じると共に略中央で折り，冊子を作成する」ことは，本願発明の「用紙束の製本化を行う」ことに相当する。よって，引用発明の「複数のシート材を重ね，その略中央を綴じると共に略中央で折り，冊子を作成するシート材処理装置」は，本願発明の「用紙束の製本化を行う手段を具備し」た「後処理装置」に相当する。
　
　引用発明の「制御手段」は「その冊子の内側になるシート材ほど，そのシート材に印字する画像の印字位置を見開きの中央側にする」ものであるから，これを言い換えると，“冊子の内側になるシート材に印字する画像の印字位置を，冊子の外側になるシート材に印字する画像の印字位置よりも見開きの中央側にする”ものということができる。
　ここで，当該言い換えられた引用発明の「制御手段」と本願発明の「制御手段」とを対比すると，言い換えられた引用発明の「冊子」，冊子の「内側になるシート材に印字する画像」，「冊子の外側になるシート材に印字する画像の印字位置」，「画像の印字位置を見開きの中央側にする」ことは，本願発明の「製本化された用紙束」，用紙束の「内側の用紙に相当する用紙に画像形成される画像」，「用紙束の外側の用紙に相当する用紙に画像形成される画像の画像形成位置」，「見開き中央側の位置となる画像形成を実行させる」ことに相当する。つまり，前記言い換えられた引用発明の「制御手段」は，本願発明の「製本化された用紙束の内側の用紙に相当する用紙に画像形成される画像が該用紙束の外側の用紙に相当する用紙に画像形成される画像の画像形成位置よりも見開き中央側の位置となる画像形成を実行させる制御手段」に相当するものといえる。
　前記言い換えられた引用発明は，文字どおり，引用発明を言い換えたものにすぎないから，言い換える前の引用発明の「冊子の内側になるシート材ほど，そのシート材に印字する画像の印字位置を見開きの中央側にする制御手段」が，本願発明の「製本化された用紙束の内側の用紙に相当する用紙に画像形成される画像が該用紙束の外側の用紙に相当する用紙に画像形成される画像の画像形成位置よりも見開き中央側の位置となる画像形成を実行させる制御手段」に相当するものといえる。
　
　引用発明の「余白Ｚ」は，本願発明の「非画像形成領域」に相当する。したがって，引用発明の「冊子の内側頁ほど，頁毎に先端の余白Ｚ（印字領域）をΔＸづつ内側に頁毎にずらしてい」くことは，本願発明の「非画像形成領域を用紙束の用紙毎に設定すること」に相当する。また，この「冊子の内側頁ほど，頁毎に先端の余白Ｚ（印字領域）をΔＸづつ内側に頁毎にずらしてい」くことが，前記の「製本化された用紙束の内側の用紙に相当する用紙に画像形成される画像が該用紙束の外側の用紙に相当する用紙に画像形成される画像の画像形成位置よりも見開き中央側の位置となる画像形成を実行させる」に相当する「冊子の内側になるシート材ほど，そのシート材に印字する画像の印字位置を見開きの中央側にする」ための処理となっていることは，明らかである。
　
　以上を踏まえると，両者の一致点，相違点は以下のとおりである。
【一致点】
　用紙束の製本化を行う手段を具備した後処理装置により製本化される用紙束の各用紙に画像形成が可能な画像形成装置であって，
　製本化された用紙束の内側の用紙に相当する用紙に画像形成される画像が該用紙束の外側の用紙に相当する用紙に画像形成される画像の画像形成位置よりも見開き中央側の位置となる画像形成を実行させる制御手段と，を有し，
　前記制御手段は，製本化された用紙束の内側の用紙に相当する用紙に画像形成される画像が該用紙束の外側の用紙に相当する用紙に画像形成される画像の画像形成位置よりも見開き中央側の位置となる画像形成を行うために，非画像形成領域を前記用紙束の用紙毎に設定する画像形成装置。
　
【相違点】
（１）「後処理装置」の機能として，本願発明は「製本化された用紙束を断裁装置に供給可能」とするのに対して，引用発明は，「後処理装置」に相当する「シート材処理装置」に，断裁装置に相当する「カッタ」を備えている点。
　
（２）本願発明は「製本用のページ順となるように画像のレイアウトを行う製本モードの設定がされたか否かの確認を行う確認手段」を有し，「前記確認手段により前記製本モードの設定が確認された場合に」，画像形成位置を制御して画像形成を実行させるのに対して，引用発明では，そのようなことは特定されていない点。
　
　４　当審の判断
　まず，上記相違点（１）について検討する。
　綴じ処理や折り処理を行う後処理装置と断裁装置とを一体の装置として構成するか，それぞれ別体の装置とし，後処理装置を，後段の断裁装置に供給可能なものとして構成するかは，当業者が適宜採用し得た設計的な事項である。
　
　次に，上記相違点（２）について検討する。
　画像形成装置において，製本モードを備え，当該製本モードが設定された場合に製本用のページ順となるように画像のレイアウトを行うことは，例えば，特開平９−２６１３８５号公報（特に，段落【００３８】ないし【００４２】等参照）や特開平１０−１１７２８２号公報（特に，段落【０００３】，【００３０】等参照）に記載されているように周知技術である。なお，一般に，設定された動作モードを制御手段が確認しなければ，動作することができないのであるから，これら周知技術の画像形成装置においても，製本モードが設定されたか否かを確認する手段を備えていることは，明らかである。
　よって，引用発明の画像形成装置において上記周知技術を適用し，製本モード及び当該製本モードを設け，確認手段により当該製本モードの設定が確認された場合に，製本用のページ順となるように画像のレイアウトを行うとともに，画像形成位置を制御して画像形成を実行させるよう構成することは，当業者が容易になし得たことである。
　
　そして，これら相違点を総合的に考慮してみても当業者が推考し難い格別のものであるとすることはできず，本願発明の奏する効果を検討してみても，引用例に記載された発明及び周知技術それ自体の効果であって各相違点の組合せによって新たな効果を奏するものではない。
　
　なお，前記「第２」で補正却下した，平成２０年１１月１０日付けの手続補正よって追加された「当該非画像形成領域に基づいて決定される画像形成領域より，前記画像形成される画像が大きい場合に，当該画像形成される画像を縮小するか，前記画像形成される画像の一部分を画像形成させるかを，ユーザから受付けた設定に基づいて制御する」点については，例えば，特開平７−６６９６８号公報（特に，段落【００４１】等）に記載されているように周知技術であって，格別なこととは認められない点，参考までに付記しておく。
　
　５　むすび
　以上のとおり，本願発明は，引用例に記載された発明及び周知技術に基づいて当業者が容易に発明をすることができたものであるから，特許法第２９条第２項の規定により特許を受けることができない。
　したがって，本願は，他の請求項について検討するまでもなく拒絶すべきものである。
　
　よって，原査定を取り消す，本願は特許をすべきものであるとする審判請求の趣旨は認められないから，結論のとおり審決する。